(57)【要約】【課題】斬新な装飾効果を有するモアレ加飾印刷構造を提供する【解決手段】基板１０の上に、印刷画素が規則的に分布する印刷パターンを有する複数の印刷層１１，１２，１３を互いにずらして重ね印刷しモアレを生じさせたモアレ加飾印刷構造において、基板１０表面を反射光が特定の方向に偏る光沢面とし、基板１０上に印刷される第１印刷層１１の印刷画素ｐ１を基板１０表面の色と同系色で反射光が分散する特性を有する光輝性インキによる印刷としたことを特徴とする。【選択図】    図１
2005125527.tif 000002
【特許請求の範囲】
【請求項１】
基材の上に、印刷画素が規則的に分布する印刷パターンを有する複数の印刷層を互いにずらして重ね印刷しモアレを生じさせたモアレ加飾印刷構造において、
基材上に印刷される第１印刷層の印刷画素を基材表面の色と同系色で反射光の分布が基材表面とは異なる反射特性を有するインキによる印刷としたことを特徴とするモアレ加飾印刷構造。
【請求項２】
基材表面を反射光の分布が偏った反射特性を有する光沢面とし、基材上に印刷される第１印刷層の印刷画素を基材表面の色と同系色で反射光が分散する反射特性を有する光輝性インキによる印刷としたことを特徴とする請求項１に記載のモアレ加飾印刷構造。
【請求項３】
第１印刷層の上に複数の上部印刷層が重ね印刷される構成で、複数の上部印刷層を互いに印刷パターンをずらしてモアレを生じさせる構成とし、さらに、上部印刷層の各層と第１印刷層間も印刷パターンをずらしてモアレを生じさせる構成としたことを特徴とする請求項１または２記載のモアレ加飾印刷構造。
【請求項４】
印刷パターンは網点パターンであり、各印刷層の網点パターンは、網点角度と網点線数の少なくともいずれかを変えることにより互いにずらしていることを特徴とする請求項１乃至３のいずれかの項に記載のモアレ加飾印刷構造。
【請求項５】
第１印刷層に重ね印刷される上部印刷層は基材表面の色と異なる色インキによって印刷されていることを特徴とする請求項１乃至４のいずれかの項に記載のモアレ加飾印刷構造。
【請求項６】
基材表面が金属光沢を有する光沢面であることを特徴とする請求項１乃至５のいずれかの項に記載のモアレ加飾構造。
【請求項７】
基材が金属容器を構成する基板であることを特徴とする請求項６に記載のモアレ加飾構造。
【請求項８】
基材がシート材であることを特徴とする請求項１乃至６のいずれかの項に記載のモアレ加飾構造。
【発明の詳細な説明】
【技術分野】
【０００１】
本発明は、たとえば金属容器の表面に施される印刷構造に関し、特にモアレ模様を積極的に利用したモアレ加飾印刷構造に関する。
【背景技術】
【０００２】
モアレ模様を装飾として利用した印刷構造としては、たとえば特許文献１に記載のような装飾シートが知られている。
この装飾シートは、基材上に規則的な印刷パターンを有する複数の印刷層を互いにずらして重ね印刷し、積極的にモアレを生じさせて装飾効果を高めていた。
【特許文献１】特開平６−３５０９号公報
【発明の開示】
【発明が解決しようとする課題】
【０００３】
しかしながら上記した特許文献１に記載のものは、どの方向から見てもモアレが生じる構造であって、変化に乏しいものであった。
【０００４】
本発明は、上記した従来技術の問題点を解決するためになされたもので、その目的とするところは、装飾効果をより高めたモアレ加飾印刷構造を提供することにある。
【課題を解決するための手段】
【０００５】
上記目的を達成するために、請求項１に係る発明は、基材の上に、印刷画素が規則的に分布する印刷パターンを有する複数の印刷層を互いにずらして重ね印刷しモアレを生じさせたモアレ加飾印刷構造において、基材上に印刷される第１印刷層の印刷画素を基材表面の色と同系色で反射光の分布が基材表面とは異なる反射特性を有するインキによる印刷としたことを特徴とする。
請求項２に係る発明は、基材表面を反射光の分布が偏った反射特性を有する光沢面とし、基材上に印刷される第１印刷層の印刷画素を基材表面の色と同系色で反射光が分散する反射特性を有する光輝性インキによる印刷としたことを特徴とする。
【０００６】
請求項３に係る発明は、第１印刷層の上に複数の上部印刷層が重ね印刷される構成で、複数の上部印刷層を互いに印刷パターンをずらしてモアレを生じさせる構成とし、さらに、上部印刷層の各層と第１印刷層間も印刷パターンをずらしてモアレを生じさせる構成としたことを特徴とする。
【０００７】
請求項４に係る発明は、印刷パターンは網点パターンであり、各印刷層の網点パターンは、網点角度と網点線数の少なくともいずれかを変えることにより互いにずらしていることを特徴とする。
【０００８】
請求項５に係る発明は、第１印刷層に重ね印刷される上部印刷層は基材表面の色と異なる色インキによって印刷されていることを特徴とする。
【０００９】
請求項６に係る発明は、基材表面が金属光沢を有する光沢面であることを特徴とする。
請求項７に係る発明は、基材が金属容器を構成する基板であることを特徴とする。
請求項８に係る発明は、基材がシート材であることを特徴とする。
【発明の効果】
【００１０】
請求項１に係る発明によれば、基材表面と第１印刷層の印刷画素を形成するインキの反射特性の相違から、見る角度や光の当たる方向等によって、基材表面と印刷画素の明度が揃う場合と異なる場合が生じ、明度が異なる場合には第１印刷層の印刷パターンを視認できるが、明度が揃った場合には同系色の色なので判別しにくくなる。したがって、第１印刷層の印刷パターンが見える場合に、上部の印刷層との間のモアレが現れ、見えない場合にはモアレが現れないことになり、変化に富んだ装飾効果が得られる。
請求項２に係る発明によれば、基材表面を反射光の分布が偏った反射特性を有する光沢面とし、基材上に印刷される第１印刷層の印刷画素を基材表面の色と同系色で反射光が分散する反射特性を有する光輝性インキによる印刷としたので、基材からの反射光が比較的強い部分では見えにくく、反射光が比較的暗い部分で光輝性インキが浮き立つのでモアレの変化が強調される。
【００１１】
請求項３に係る発明によれば、第１印刷層の上の複数の上部印刷層によってモアレが形成されているので、見る方向によって第１印刷層が視認できるようになると、第１印刷層と上部印刷層間で別のモアレが生成され、常時見える上部印刷層のモアレと重なって複雑なモアレ模様に変化する。
【００１２】
請求項４に係る発明によれば、このような変化に富んだ装飾効果を、一般的な網点印刷を用いることによって簡単に生成することができる。
【００１３】
請求項５に係る発明によれば、第１印刷層に重ね印刷される上部印刷層は基材表面の色と異なる色インキによって印刷されることにより、モアレ模様が鮮明となる。
【００１４】
請求項６に係る発明によれば、基材表面が金属光沢を有する光沢面の場合、光輝性インキとして銀インキ等を用いることで、同系色の印刷が簡単にできる。
請求項７に係る発明は、基材を金属容器を構成する基板とすれば、装飾効果が高い金属容器を実現することができる。
請求項８に係る発明は、基材をシート材とすることにより、容器だけでなく、種々の製品の装飾に用いることができる。
【発明を実施するための最良の形態】
【００１５】
以下に本発明を図示の実施の形態に基づいて詳細に説明する。
図１は、本発明の実施の形態に係るモアレ加飾印刷構造を示している。この実施の形態では、モアレ加飾印刷構造を金属缶等の金属容器の表面に施す場合について説明する。
【００１６】
図において、１０は基材としての金属容器の基板で、基板１０の上には、規則的な印刷パターンを有する３層の第１，第２，第３印刷層１１，１２，１３が互いにずらした状態で重ね印刷され、モアレを生じさせる構成となっている。
基板１０としては、金属容器の素材として一般的なブリキ，錫めっきの量を減らしたＬＴＳ(Low Tin Coated Steel)，アルミ材等の各種金属材に適用可能であり、基板１０表面は反射光の分布が正反射の方向Ｘに偏った反射特性を有する光沢面となっている。したがって、入射光に対して正反射方向は比較的明るく、それ以外の方向は比較的暗くなる。金属容器としては、缶詰，飲料缶等の円筒形状の容器、菓子缶等の四角形状の容器についても適用可能で、その形状は問わない。
【００１７】
各印刷層１１，１２，１３の印刷パターンは網点パターンによって構成されている。網点パターンは、各網点ｐ１，ｐ２，ｐ３が格子状に配列された平網で、網点のずらし方は、各印刷層間で、網点角度θ１，θ２，θ３と網点線数ｎ１，ｎ２，ｎ３（本／inch）の少なくともいずれか一方を変えている。
網点角度は、たとえば印刷画像の水平の基準線Ｈに対して網点が並ぶ線Ｌとのなす角度、網点線数は、１インチ当たりの網点の列の数である。網点角度を変えた場合もモアレが生じるし、網点線数を変えただけでもモアレが生じる。網点角度と網点線数によって現れるモアレが変化する。
【００１８】
網点パターンとしては、平網に限らず濃淡を有する画像など他の構成でもよい。また、印刷パターンについては、網点パターンの他に万線パターンでもよく、要するに、規則的に繰り返す印刷画素を有し互いにずらして重ね印刷した場合にモアレが生じるようなパターンであればよい。
【００１９】
基板１０表面に印刷される第１印刷層１１の網点ｐ１は、基板１０と同系色の光輝性インキによって印刷される。光輝性インキは、顔料にアルミ等の金属粉やパール顔料等が用いられたインキであり、金属粉等の顔料に光が反射し、反射光が正反射方向だけでなく比較的全方向に平均して分散する反射特性を有する。基板１０がアルミやブリキ等の銀色の金属光沢を有する場合には銀インキが好ましく、金色の金属光沢を有する場合には金色の顔料を有するインキを用いればよい。全く同一色である必要はなく、同系色であればよい。
【００２０】
この実施の形態では、第１印刷層１１の上に、第２及び第３印刷層１２，１３が重ね刷りされている。この第２印刷層１２と第３印刷層１３も互いに印刷パターンをずらしてモアレを生じさせる構成となっている。
第２印刷層１２と第３印刷層１３の網点ｐ２，ｐ３は、インキとして基板１０の色と異なる色のインキが用いられる。特に、下層の網点が見えるように有色透明のインキが好ましい。
【００２１】
次に、本実施の形態に係るモアレ加飾印刷構造の作用について説明する。
本実施の形態のように、金属製の基板１０上の第１印刷層１１に銀インキなどの光輝性インキで印刷すると、見る角度によって網点ｐ１が見えたり見えなかったりする現象が現れる。図２に示すように、下地の基板１０の反射は正反射方向Ｘの限られた特定の角度以外では少ないのに対して、網点ｐ１の光輝性インキはアルミ等の顔料が乱反射し、どの角度でも明るい反射が得られ、この基板１０と網点ｐ１の反射が揃う正反射方向Ｘの角度では、同系色の基板１０と網点ｐ１の明度が等しくなるのでその境界の区別がつきにくく、それ以外の方向（例えば、図中Ｙ方向）では明度差があって網点ｐ１が浮き立って明瞭となる。
【００２２】
基板１０と網点ｐ１の反射光が揃う角度は、図では正反射方向として記載しているが、正反射方向に限られるものではなく、基板１０と網点ｐ１の反射率や反射光量の分布によって相対的に定まるものである。また、網点ｐ１が視認可能となるのは、基板１０より明るい場合だけでなく、基板１０の正反射方向で明るく反射する場合に網点ｐ１が相対的に暗くなって視認可能となる場合もある。
【００２３】
本実施の形態では、見る角度に関わりなく、第２印刷層１２と第３印刷層１３との間でモアレが生じており、見る角度によって現れる第１印刷層１１によって、第１印刷層１１と第２印刷層１２との間で別のモアレが生じ、第１印刷層１１と第３印刷層１３との間でさらに別のモアレが生じ、これらのモアレが互いに干渉して複雑なモアレを形成し、角度によってモアレの模様が大きく変化する。
【００２４】
図３には、具体的な印刷例を示している。
印刷条件は、表１に示すように第１，第２及び第３印刷層の網点角度と網点線数を互いにずらした構成となっている。
【表１】
2005125527.tif 000003
【００２５】
図３（Ａ）は、第１印刷層１１の網点ｐ１が目立たない角度から見た場合で、第２印刷層１２と第３印刷層１３の重ね合わせによって生じるモアレのみが現れた状態を示している。
図３（Ｂ）は、第１印刷層１１が目立つ方向から見た場合で、第１，第２及び第３の３層の印刷層１１，１２，１３が重ね合わさって異なるモアレが現れる。
図３（Ｃ）は、第１印刷層１１と第２印刷層１２の重ね合わせで生じるモアレの状態、図３（Ｄ）は第１印刷層１１と第３印刷層１３の重ね合わせによって生じるモアレの状態を示すもので、図３（Ｂ）の３層が重なって現れるモアレは、図３（Ａ），図３（Ｃ）および図３（Ｄ）のモアレが互いに干渉して現れたものである。
【００２６】
このモアレは、光の当たり具合、見る角度によって、部分的にあるいは全体的に図３（Ｂ）のモアレが出現したり消えたりして印刷パターンが複雑に変化し、優れた意匠的効果を発揮する。
このように、本発明によれば、従来の印刷技術を用いた簡便な方法により、意匠性に優れた金属容器が得られる。
【００２７】
なお、上記実施の形態では、印刷層が３層構成の場合について説明したが、２層構成でもよいし、４層以上の構成となっていてもよい。
また、基材として金属容器を構成する金属製の基板１０を例にとって説明したが、容器を構成する金属以外の容器の基材表面にメッキ等の金属コーティングを施したものでもよい。さらに、容器に直接印刷するのではなく、基材として表面に金属箔等をコーティングしたシートを用いて装飾シートを作成し、容器表面に貼り付けてもよいし、箔転写方式で容器表面に転写する構造としてもよい。
装飾シートや箔転写に本発明の加飾印刷構造を適用した場合には、加飾対象物としては容器に限らず、種々の製品の装飾に利用することができる。
また、基材表面が金属面の場合について説明したが、金属面に限定されるものではなく、第１印刷層のインキとの関係で、見る方向によってインキと明度差が無くなったり大きくなるような反射光の分布特性を有するものであればよい。
【図面の簡単な説明】
【００２８】
【図１】図１（Ａ）は本発明の実施の形態に係るモアレ加飾印刷構造の各印刷層を離して示した模式的斜視図、図１（Ｂ）は模式的断面図である。
【図２】図２は図１の第１印刷層の角度による見え方の違いを説明するための模式的説明図である。
【図３】図３は図１のモアレ加飾印刷構造の具体的な印刷パターンを示すもので、同図（Ａ）は第１印刷層が見えにくい角度から見た場合の第２，第３印刷層の重ね合わせによるモアレの状態を示す図、同図（Ｂ）は第１印刷層が視認できる角度から見た場合のモアレの状態を示す図、同図（Ｃ）は第１印刷層と第２印刷層との重ね合わせによって生じるモアレの状態を示す図、同図（Ｄ）は第１印刷層と第３印刷層との重ね合わせによって生じるモアレ状態を示す図である。
【符号の説明】
【００２９】
１０  基板（基材）
１１  第１印刷層
ｐ１  網点（光輝性インキ）
１２  第２印刷層
ｐ２  網点（有色インキ）  
１３  第３印刷層
ｐ３  網点（有色インキ）
【図１】
2005125527.tif 000004
【図２】
2005125527.tif 000005
【図３】
2005125527.tif 000006